【事件の表示】
　特願２００８−１７７１８８「表示装置」拒絶査定不服審判事件〔平成２０年１０月３０日出願公開、特開２００８−２６２５９２〕について、次のとおり審決する。
【結　論】
　本件審判の請求は、成り立たない。
【理　由】
１．手続の経緯 
　本願は、特願平４−３４８４０５号（平成４年１２月２８日出願）の分割出願（平成２０年７月７日出願）であって、平成２１年８月１０日付けで拒絶理由通知がなされ、同年１０月１９日付けで手続補正がなされるとともに意見書が提出されたが、同年１１月３０日付けで拒絶査定がされ、これに対して平成２２年２月２６日付けで拒絶査定に対する審判請求とともに手続補正がなされたものである。
　
２．本願発明について
  本願の請求項１に係る発明（以下、「本願発明」という。）は、平成２２年２月２６日に提出された手続補正書の特許請求の範囲の請求項１に記載された以下のとおりのものである。
　
「【請求項１】
　複数の情報データのタイトルを表示部に表示し，操作部における操作によって選択されたタイトルに対応する情報データを前記表示部に表示する表示装置において，
　選択されたタイトルに対応する情報データの表示部分を前記操作部の操作に応じて切替える更新手段と，
　前記情報データの表示部分の表示に必要とされる情報をタイトルに対応付けて記憶する保持手段と，
　電源オフ後に再起動され，前記表示部に表示された複数のタイトルの中から前記操作部における操作によってタイトルが選択されたことに応答して，前記選択されたタイトルに対応付けて前記保持手段に記憶されている前記情報に基づいて前記タイトルに対応する情報データの表示部分を表示する管理部と，
　を備えたことを特徴とする表示装置。」
　
３．引用例
　原査定の拒絶の理由に引用された特開平２−４７７７１号公報（以下、「引用例」という。）には、図面とともに以下の記載がある。なお、下線は当審で付与したものである。
　
（ａ）「［実施例］
　以下、本発明の実施例について、添付図面を参照しながら説明する。最初に第１図を参照しながら、基本的なシステム構成について説明する。
＜基本構成＞
　同図において、情報供給側であるデータベース部ｌ０は、データベース１２、検索手段１４、通信手段１６を各々有している。
　これらのうち、データベース１０には、例えば多数の文庫本が電子化されて格納されており、検索手段１４によっていずれかを検索できるようになっている。通信手段１６は、矢印ＦＡで示す通信回線に接続されている。
　
次に、情報受け取り側である再生部２０は、通信手段２２、記憶手投２４、入力手段２６、表示手段２８を各々有している。
　
これらのうち、通信手段２２には、上述した通信回線が各々接続可能となっており、この通信手段２２を介して伝達されたデータは、記憶手段２４に格納されるようになっている。また、通信の開始、検索、表示操作などは、入力手段２６によって行なわれるようになっており、記憶手段２４に格納されたデータの表示は表示手段２８によって行なわれるようになっている。
　この再生部２０は、携帯用に構成されており、必要に応じて通信回線に接続される。
　次に、以上のような
情報伝達システムの動作について説明する。データベース部ｌ０から電子化された文庫本の提供を受ける場合は、まず、再生部２０が通信回線に接続され、次に、入力手段２６によって入手を必要とする文庫本の検索が支持される。データベース側では、検索手段１４によって要求されたもののデータベースにおける検索が行なわれ、終了すると、データが通信手段１６によって再生部２０の通信手段２２に伝達され、更に記憶手段２４に格納される。
　
次に、再生部２０では、入力手段２６の操作により、記憶手段２４に格納された文庫本の内容が表示手段２８に表示される。
　このように、通信回線を利用して文庫本の内容が伝達されるので、購入のために書店に出向く必要がなく、また、在庫がないなどの不都合は全く生じない。更に、再生部２０は携帯用に構成されているので、必要な時間に必要な場所で文庫本の内容の表示を行なうことができる。」（公報第３ページ右上欄第１行目から右下欄第５行目）
　
（ｂ）「〈第１実施例〉
　次に、第２図ないし第４図を参照しながら、本発明の第１実施例について説明する。第２図にはデータ供給側の構成が、第３図には再生側の外観が、そして第４図には再生側の構成が各々示されている。
　まず、第２図を参照しながら、データ供給側について説明する。同図において、キーボード１００および記録媒体１０２の出力側は、入力部１０４の入力側に各々接続されている。この入力部１０４の出力側は、一時記憶部１０６の入力側に接続されている。
　これらのうち、キーボード１００は、ワードプロセッサのように文章の文字データを入力するものである。また、記録媒体１０２は、フロッピディスクや磁気テープのようなすでにデータが入力されているものである。これらのキーボード１００、記録媒体１０２から入力部１０４によって入力されたデータは、一時記憶部１０６に格納されるようになっている。
　本実施例においては、
例えば出版における文庫本がデータとして取り扱われる
　次に、一時記憶部１０６の出力側は、編集部１０８の入力側に接続されており、この編集部１０８の出力側は、他の一時記憶部１１０の入力側に各々接続されている。この編集部１０８は、外部から入力されるファイル番号、ページなどのデータを加えて、入力側の一時記憶部１０６に格納されているデータの編集を行なうものある。この編集作業によって、後述するように再生側からの検索ができるようになる。編集されたデータは、出力側の一時記憶部１１０に一時的に格納される。
　次に、一時記憶部１１０の出力側は、大容量の記憶部１１２の入力側に接続されており、更に必要に応じて入力部１１４の入力側にも接続されている。この入力部１１４の出力側には、他の記録媒体１１６が接続されている。
　これらのうち、一時記憶部１１０に格納されているデータを、検索可能の状態でファイルするもので、これがデータベースとなる。すなわち、多数の書籍、雑誌などが電子化されて記憶部１１２に格納される。
　また、かかるファイルされたデータは、必要に応じ入力部１１４を通じて記録媒体１１６に記録される。この記録媒体１１６としては、例えばＣＤ−ＲＯＭなどが用いられ、電子化された文庫本として利用される。  　
　更に、かかる記憶部１１２には、検索部１１８および入出力部１２０が各々接続されており、入出力部１２０は、通信回線１２４に接続されている。これらのうち、検索部１１８は、再生側からの指示に基づいて記憶部１１２内のデータの検索を行なうものである。また、入出力部１２０は、通信回線１２４を通じて再生側とデータの授受を行なうものである。
　次に、以上のように構成されたデータ供給側の動作について説明する。まず、キーボード１００ないし記録媒体１０２から入力部１０４によって入力された文庫本のデータは、一時記憶部１０６に格納される。
　そして、これらのデータは、適宜読み出されて編集部１０８に入力され、外部から入力されたファイル番号、ページなどの編集データが付加されて、一時記憶部１１０に格納される。
　これらの編集されたデータは、必要に応じて入力部１１４により記録媒体１１６に出力され、ＣＤ−ＲＯＭなどとして利用される。
　他方、一時記憶部１１０に格納された編集データは、記憶部１１２に検索可能にファイルされる。すなわち、この記憶部１１２に多数の文庫本が電子化されて格納され、文庫本のデータベースが構築されることとなる。
　この記憶部１１２には、外部より通信回線１２４を通じてアクセス可能になっており、入出力部１２０に検索指示があると、検索部１１８によって記憶部１１２内のデータの検索、すなわち所望される文庫本の検索が行なわれる。
　相当する文庫本が存在したときには、そのデータが入出力部１２０によって通信回線１２４に出力される。（公報第３ページ右下欄第６行目から第４ページ右下欄第１２行目）
　
（ｃ）「次に、第３図を参照しながら、
再生側の装置外観について説明する。同図において、本体１３０の側部には、電力投入用の主電源スイッチ１３２が設けられており、その表面側には表示パネル１３４が設けられている。
更に、この表示パネル１３４の下側には、ページ送り用スイッチ１３６、ページ戻し用スイッチ１３８が各々設けられており、
　次に、以上のような外観を有する再生側の構成について、第４図を参照しながら説明する。同図において、上述した通信回線１２４は入出力部１４６の入力側に接続されており、入出力部１４６の出力側は、不揮発性の記憶部１４８、検索表示処理部１５０、記憶部１５２、外部用の入出力部１５４に各々接続されている。
　また、
これらのうち、検索表示処理部１５０には、上述した各種キーないしスイッチを含む入力キ一部１５６が接続されている。記憶部１５２の出力側は、文字発生部１５８の入力側に接続されており、この文字発生部１５８の出力側は、表示記憶部１６０を介して表示器１６２に接続されている
　更に、上述した入出力部１５４の出力側は、例えばＣＤ−ＲＯＭなどの記録媒体１６４に接続されている。
　以上の各部のうち、
検索表示処理部１５０は、入力キ一部１５６からの指示に基づいて、検索や表示の動作処理指示を行なうものである
　次に、記憶部１５２は、例えば半導体メモリによって構成され、主電源スイッチｌ３２（第３図参照）を切っても別電源でバックアップされるようにして、不揮発性となるように構成されている。この記憶部１５２は１文庫本１冊程度、すなわち数百Ｋバイト程度の記憶容量を有しており、これに格納されたデータに基づいて文字発生部１５８により該当する文字パターンデータが発生されるとともに表示記憶部１６０に格納され、これに基づいて表示部１６２における文庫本の所定ページの表示が行なわれるようになっている。　
　更に、入出力部１５４は、ＣＤ−ＲＯＭなどの記録媒体１６４のドライバで、本体１３０（第３図参照）から切り放し可能になっており、可搬性に富む構成となっている。すなわち、記憶部１４８には、通信回線１２４を通じて第２図のデータ供給側からデータが供給されるとともに、入出力部１５４を介して記録媒体１６４からもデータが供給されるようになっている。そして、更に、通信回線１２４を通じて供給された文庫本のデータを、記録媒体１６４に記録できるようにも構成されている。
　次に、
以上のように構成された再生側の動作について説明する
　この場合には、本体１３０に入出力部１５４を接続し、入力キ一部１５６の入力指示キー１４４を操作して、記録媒体１６４の内容の入力を行なう、このデータは、他の入出力部１４６を介して記憶部１５２に格納される。なお、携帯時には、入出力部１５４は切り放される。
　次に、データ供給側からデータの供給を受ける場合について説明する。この場合には、まず、本体１３０に通信回線１２４が接続され、次に、サーチ指示キー１４２か操作される。これによるサーチ指示は、検索表示処理部１５０に伝えられ、これから入出力部１４６を介してデータ供給側（第２図参照）の記憶部１１２に格納されている文庫本のジャンルのメニューの要求が行なわれる。      　
　
これに応答してデータ供給側からジャンルメニューが伝達されると、記憶部１５２に格納され、更に表示部１６２の表示パネル１３４に表示される。使用者は、この表示を見て必要とするジャンルを選択し、ＩＯキー１４０を使用して選択したジャンルを入力する。
　
このジャンルは、検索表示処理部１５０、入出力部１４６を通じてデータ供給側に伝達され、該当するジャンルに含まれる文庫本のタイトルリストが、同様に再生側に伝達されて表示される。同様にして使用者は、希望するタイトルを選択し、これがデータ供給側に伝達される。
　
データ供給側では、入力されたタイトルに相当する文庫本のデータが記憶部１１２から出力され、入出力部１２０によって再生側に伝達される。再生側では、このデータが入出力部１４６を介して記憶部１５２に格納される。
　
以上のようにして、データ供給側あるいは記録媒体１６４から所望される文庫本の内容が記憶部１５２に格納される。
　次に、
記憶部１５２内のデータの再生について説明する。まず、使用者は、入カキー部１５６のＩＯキー１４０を操作して、希望するページを入力する。これが検索表示処理部１５０に入力されると、入出力部１４６に対して該当するページの読み出しが指令される。すると、記憶部１５２からそのページが読み出される。
　
次に、読み出されたデータは文字発生部１５８に入力され、相当する文字パターンが表示記憶部１６０に出力される。表示部１６２では、表示記憶部１６０の内容に応じた表示が行なわれる。すなわち、使用者が指示したページが表示パネル１３４に表示されることとなる。
　
次に、ページ送りを行なう場合には、使用者によってスイッチ１３６が操作される。これによって、検索表示処理部１５０により該当するページのデータが記憶部１５２から読み出され、更に表示パネル１３４にその表示が行なわれる。
　
（ｄ）「＜第２実施例＞
　次に、第５図を参照しながら、本発明の第２実施例について説明する。なお、上述した第１実施例と同様ないし相当する構成部分には、同一の符号を用いることとする。以下の実施例においても同様である。
　
この第２実施例は、同図に示すように、他の記憶部２００を、検索表示処理部１５０に接続した構成となっている。
　この記憶部２００は、主電源スイッチ１３２（第３図参照）のオフ時においても記憶作用を有し、その主電源スイッチ１３２オフ時直前において表示パネル１３４に表示されていたページが格納されるようになっている。
　このページは、主電源スイッチ１３２の再投入ないしオン時に検索表示処理部１５０に出力されるようになっている。このとき、検索表示処理部１５０は、入力されたページの検索を行なって、その表示が行なわれるように動作する。
　このような第２実施例の動作について説明すると、使用者が一度主電源スイッチ１３２を切って再び投入したとき、記憶部２００の作用によって切断時の表示ページが再び表示パネル１３４に表示されるようになる。別言すれば、記憶部２００は、しおりとして作用することとなる。
　このように、使用者は、電源の投入を行なうだけで該当する読みかけのページの表示を行なうことができる。
　
　よって、引用例には、以下の発明（以下、「引用発明」という。）が開示されていると認められる。
　
「文庫本の内容を表示する情報伝達システムにおいて、
再生側の装置の本体１３０には、電力投入用の主電源スイッチ１３２、表示パネル１３４、ＩＯキー１４０、ページ送り用スイッチ１３６、ページ戻し用スイッチ１３８が設けられ、
　文庫本のタイトルリストが、再生側に表示され、使用者は、希望するタイトルを選択し、入力されたタイトルに相当する文庫本のデータが記憶部１５２に格納され、
　使用者は、ＩＯキー１４０を操作して、希望するページを入力し、検索表示処理部１５０に入力されると、該当するページの読み出しが指令され、記憶部１５２からそのページが読み出され、読み出されたデータは表示記憶部１６０に出力され、表示部１６２では、表示記憶部１６０の内容に応じた表示が行なわれ、すなわち、使用者が指示したページが表示パネル１３４に表示され、
　次に、ページ送りを行なう場合には、使用者によってスイッチ１３６が操作され、これによって、検索表示処理部１５０により該当するページのデータが記憶部１５２から読み出され、更に表示パネル１３４にその表示か行なわれ、
　他の記憶部２００は、検索表示処理部１５０に接続され、
　この記憶部２００は、主電源スイッチ１３２のオフ時においても記憶作用を有し、その主電源スイッチ１３２オフ時直前において表示パネル１３４に表示されていたページが格納され、このページは、主電源スイッチ１３２の再投入ないしオン時に検索表示処理部１５０に出力され、検索表示処理部１５０は、入力されたページの検索を行なって、その表示が行なわれるように動作し、使用者が一度主電源スイッチ１３２を切って再び投入したとき、記憶部２００の作用によって切断時の表示ページが再び表示パネル１３４に表示されるようになり、記憶部２００はしおりとして作用する、
情報伝達システムにおける再生側の装置の本体１３０。」
　
４．対比
　本願発明と引用発明とを対比する。
　
　引用発明の「再生側の装置の本体１３０」は、本願発明の「表示装置」に相当する。
　
　引用発明の「表示部１６２」は、本願発明の「表示部」に相当する。そして、引用発明の「文庫本のデータ」は表示部によって表示される内容をさすから、本願発明の「情報データ」に相当する。引用発明では、文庫本のタイトルリストを表示して、使用者が希望するタイトルを「選択」し、入力されたタイトルに相当する文庫本のデータが記憶部に１５２に格納され、さらに「ＩＯキー１４０」を操作して、文庫本の希望するページを表示し、さらに「ページ送り用スイッチ１３６」を操作して、「検索表示処理部１５０」により該当するページのデータが表示パネル１３４に表示されるから、タイトルを「選択」する手段、「ＩＯキー１４０」及び「ページ送り用スイッチ１３６」は、本願発明の「操作部」に相当する。したがって、引用発明は、本願発明の「複数の情報データのタイトルを表示部に表示し、操作部における操作によって選択されたタイトルに対応する情報データを前記表示部に表示する表示装置」に相当する構成を備えていると言える。
　
　引用発明は、「ページ送りを行なう場合には、使用者によってスイッチ１３６が操作され、これによって、検索表示処理部１５０により該当するページのデータが記憶部１５２から読み出され、更に表示パネル１３４にその表示が行なわれ」るものであり、一般に、ページ送りとは、表示するページの内容を切り替えることをさすから、引用発明における、ページ送りの際の表示をおこなう「検索表示処理部１５０」は、本願発明の「更新手段」に相当する。そして、引用発明の「ページ」は文庫本の一部分であるから、本願発明の「情報データの表示部分」に相当する。したがって、引用発明は、本願発明の「選択されたタイトルに対応する情報データの表示部分を前記操作部の操作に応じて切替える更新手段」に相当する構成を備えていると言える。
　
　引用発明は、「この記憶部２００は、主電源スイッチ１３２のオフ時においても記憶作用を有し、その主電源スイッチ１３２オフ時直前において表示パネル１３４に表示されていたページが格納され、このページは、主電源スイッチ１３２の再投入ないしオン時に検索表示処理部１５０に出力され、検索表示処理部１５０は、入力されたページの検索を行なって、その表示が行なわれるように動作し、使用者が一度主電源スイッチ１３２を切って再び投入したとき、記憶部２００の作用によって切断時の表示ページが再び表示パネル１３４に表示されるようになる」ものである。引用発明の「主電源スイッチ１３２オフ時直前において表示パネル１３４に表示されていたページ」は「主電源スイッチ１３２の再投入ないしオン時に検索表示処理部１５０に出力され、検索表示処理部１５０は、入力されたページの検索を行なって、その表示が行なわれるように動作」するものである。
　したがって、引用発明の「主電源スイッチ１３２オフ時直前において表示パネル１３４に表示されていたページ」は、本願発明の「前記情報データの表示部分の表示に必要とされる情報」に相当し、この情報を記憶する引用発明１の「記憶部２００」は、本願発明の「保持手段」に相当する。よって、引用発明と本願発明とは、「前記情報データの表示部分の表示に必要とされる情報を記憶する保持手段」を有する点で共通する。
　また、引用発明の「主電源スイッチ１３２のオフ」及び「再投入ないしオン」は、本願発明の「電源オフ」及び「再起動」に相当する。そして、引用発明の「検索表示処理部１５０」は、電源再投入ないしオン時に、主電源スイッチ１３２オフ時直前において表示パネル１３４に表示されていたページの出力を受けて、該当ページを表示するものである。したがって、引用発明と本願発明とは、「電源オフ後に再起動され，前記保持手段に記憶されている前記情報に基づいて情報データの表示部分を表示する管理部」を有する点で共通する。
　
　したがって、両者は、
「複数の情報データのタイトルを表示部に表示し，操作部における操作によって選択されたタイトルに対応する情報データを前記表示部に表示する表示装置において，
　選択されたタイトルに対応する情報データの表示部分を前記操作部の操作に応じて切替える更新手段と，
　前記情報データの表示部分の表示に必要とされる情報を記憶する保持手段と，
　電源オフ後に再起動され，前記保持手段に記憶されている前記情報に基づいて情報データの表示部分を表示する管理部と，
　を備えたことを特徴とする表示装置。」
である点で一致し、以下の点で相違する。 
　
（相違点）
　本願発明は、情報データの表示部分の表示に必要とされる情報をタイトルに対応付けて記憶する保持手段を備え、
　電源オフ後に再起動され，前記表示部に表示された複数のタイトルの中から前記操作部における操作によってタイトルが選択されたことに応答して，前記選択されたタイトルに対応付けて前記保持手段に記憶されている前記情報に基づいて前記タイトルに対応する情報データの表示部分を表示する管理部を備える。
　これに対して引用発明は、情報データの表示部分の表示に必要とされる情報をタイトルに対応付けて記憶するものではなく、表示部に表示された複数のタイトルの中からタイトルが選択されたことに応答して，選択されたタイトルに対応付けて記憶されている前記情報に基づいて前記タイトルに対応する情報データの表示部分を表示するようなものではない。　
　
５．判断
　上記相違点について検討する。
　 
　しおり機能として、文書の特定部分の表示に必要とされる情報を、文書名に対応づけて記憶しておき、複数の文書の中から選択した文書について、記憶した情報に基づいて、文書の特定部分の表示をおこなうことは原出願日前に周知の技術（＜１＞特開平１−２５０１３５号公報第４ページないし第７ページ（特に６ページ左上欄第１〜３行）、第４図、第５図、第９図、第１０図、第１２図、＜２＞特開平２−２４９０６８号公報第５ページ、第１２図、第１４図、＜３＞特開平１−２０４１２５号公報第３ページないし第６ページ、第５図、第６図、第７図参照）である。
　したがって、引用発明において、しおり機能として、上記周知技術を採用することにより、情報データの表示部分の表示に必要とされる情報をタイトルに対応付けて記憶する保持手段を備え、電源オフ後に再起動され，前記表示部に表示された複数のタイトルの中から操作部における操作によってタイトルが選択されたことに応答して，前記選択されたタイトルに対応付けて前記保持手段に記憶されている前記情報に基づいて前記タイトルに対応する情報データの表示部分を表示する管理部とを備えるように構成することで、上記相違点に係る本願発明の構成とすることは当業者が容易になし得るものである。
　
　そして、本願発明が奏する効果は、当業者が引用発明から予想できる範囲内のものである。
　
６．むすび
　以上のとおり、本願発明は、引用発明に基づいて、当業者が容易に発明をすることができたものであるから、特許法第２９条第２項の規定により特許を受けることができない。
　
　よって、結論のとおり審決する。